(57)【要約】      （修正有）【課題】ＤｉｓｐｌａｙＰｏｒｔ規格にて入力される映像信号について表示形態を変更する時、変更後の表示形態に応じて必要十分な伝送レートに変更し、解像度やビット深度を犠牲にすることなく、伝送信号の品質の維持・向上することが可能な技術を提供する。【解決手段】表示装置であって、ＤｉｓｐｌａｙＰｏｒｔ規格に準拠した入力手段と、入力手段より入力される信号の伝送レートを設定する伝送レート設定手段と、信号を表示する形態を変更する表示形態変更手段とを有し、入力手段より受信している映像に対し表示形態変更手段により変更した表示形態に応じて、伝送レート設定手段により伝送レート設定を行う。【選択図】図１
2019132872.tif 000002
【特許請求の範囲】
【請求項１】
表示装置であって、
ＤｉｓｐｌａｙＰｏｒｔ規格に準拠した入力手段と、
前記入力手段より入力される信号の伝送レートを設定する伝送レート設定手段と、
前記信号を表示する形態を変更する表示形態変更手段と、
を有し、
前記入力手段より受信している映像に対し前記表示形態変更手段により変更した表示形態に応じて、前記伝送レート設定手段により伝送レート設定を行うことを特徴とする表示装置。
【請求項２】
請求項１に記載の表示装置であって、
前記伝送レート設定手段はＤｉｓｐｌａｙＰｏｒｔ規格に準拠する方法で設定する手段であることを特徴とする表示装置。
【請求項３】
請求項１に記載の表示装置であって、
前記表示形態変更手段により、表示形態を大きくする時に前記伝送レート設定手段により伝送レートを上げ、表示形態を小さくする時に前記伝送レート変更手段により伝送レートを下げることを特徴とする表示装置。
【請求項４】
請求項１に記載の表示装置であって、
ＥＤＩＤを変更するＥＤＩＤ変更手段と
を有し、
前記伝送レート変更手段により伝送レートを変更する時、前記ＥＤＩＤ変更手段によりＥＤＩＤを変更することを特徴とする表示装置。
【請求項５】
請求項１に記載の表示装置であって、
伝送レートの帯域確保を優先する第一のモードと、
伝送路の安定確保を優先する第二のモードと、
前記第一のモードと前記第二のモードを選択する選択手段と、
を有し、
前記選択手段による選択結果に基づいて前記伝送レート設定手段により伝送レートを設定することを特徴とする表示装置。
【発明の詳細な説明】
【技術分野】
【０００１】
本発明は表示装置に関し、特にＤｉｓｐｌａｙＰｏｒｔ規格に準拠した入力部を搭載する表示装置における表示形態に基づいた適応的な伝送レートの制御に関する。
【背景技術】
【０００２】
近年、表示装置の高解像度化が進んでおり、例えば、４Ｋ２Ｋ（３８４０×２１６０、４０９６×２１６０）、ＳＨＶ（７６８０×４３２０）といった解像度の液晶パネルを有する表示装置がある。液晶パネルの高解像度化に伴い、空間的に分割された複数の映像信号を受信し、統合して１枚の画像として同時に表示する方法が知られている。その他、２つの映像信号を左右に並べて表示するピクチャーバイピクチャー（ＰｂｙＰ）や１つの映像信号上に縮小した他方の映像信号を重畳して表示するピクチャーインピクチャー（ＰｉｎＰ）等があり表示形態も多様化してきている。
【０００３】
これらの表示装置では、外部装置から映像信号を入力する時ＤｉｓｐｌａｙＰｏｒｔ（登録商標）（以下ＤＰと称す）やＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）といったインターフェース規格に準拠したケーブルで接続され、映像信号の送受信が行われることがある。これらのインターフェースでは、分割された複数の映像を表示装置へ同時に入力し、表示装置内で合成して１枚の統合画像として表示する方法が知られている。また上述のＤＰ規格においては、リンクトレーニングという映像信号の伝送レートや伝送路数、電圧振幅、増幅等の調整を行なうことが規定されている。
【０００４】
伝送レートについては映像信号の解像度やビット深度、フレームレートの応じて動的に変わるものではなく、所定のレートに固定され、そのレートに収まる範囲で映像信号の送受信が行われる。ここで取り決められた条件に基づき、映像信号の送受信を行う方法がDP規格で規定されている。高解像度の液晶パネルを有する表示装置の場合、リンクトレーニングにて高速伝送レートで映像信号を受信するよう調整し、例えば、ＤＰ規格で規定されている５．４Ｇｂｐｓ、８．１Ｇｂｐｓ等の所定の伝送レートに調整がなされ映像信号の送受信が行われる。
【０００５】
しかし、伝送レートが高速化するに伴い伝送信号の品質の劣化、ひいてはデータドロップを招き、結果として乱れた映像を表示する、またはブラックアウトする等の場合を引き起こす可能性が高まる。
【０００６】
このような状況に対し、特許文献１においては、表示装置が受信した映像信号を正常に再生出来ない場合、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）を変更し受信可能な解像度情報、ビット深度情報を変更することで、伝送信号の品質劣化等から起きる受信エラーを低減する方法が開示されている。ＥＤＩＤとは表示装置の性能情報を外部装置に示すための情報であり、該情報を操作することで間接的に伝送レートを下げることができる。これにより結果的に伝送信号の品質が高まり受信エラー等から引き起こされる映像の乱れ等を回避することができる。
【先行技術文献】
【特許文献】
【０００７】
【特許文献１】特開２０１４−１１７３４号公報
【発明の概要】
【発明が解決しようとする課題】
【０００８】
しかしながら、先行文献１においてはＥＤＩＤを操作して伝送レートを落とすことで信号品質は向上するが、同時に解像度やビット深度が犠牲になるというデメリットが生じる。またＤＰ規格においては、ＥＤＩＤを操作しても伝送レートは固定となる規定であるため、伝送信号の品質向上とはならない可能性がある。
【０００９】
そこで本発明では、ＤＰにて入力される映像信号の表示形態に基づいて、必要十分な伝送レートに変更し、解像度やビット深度を犠牲にすることなく、伝送信号の品質の維持・向上することが可能な技術を提供することを目的とする。
【課題を解決するための手段】
【００１０】
上記課題を解決するため、本発明の表示装置は、
ＤｉｓｐｌａｙＰｏｒｔ規格に準拠した入力手段と、
前記入力手段より入力される信号の伝送レートを設定する伝送レート設定手段と、
前記信号を表示する形態を変更する表示形態変更手段と、
を有し、
前記入力手段より受信している映像に対し前記表示形態変更手段により変更した表示形態に応じて、前記伝送レート設定手段により伝送レート設定を行うことを特徴とする。
【発明の効果】
【００１１】
本発明によれば、ＤＰにて入力された映像信号の表示形態を変更する時、表示形態に応じて必要十分な伝送レートに変更することができ、解像度やビット深度を犠牲にすることなく、伝送信号の品質の維持・向上することが可能なる。
【図面の簡単な説明】
【００１２】
【図１】本発明におけるプロジェクタの内部ブロック構成を示す図。
【図２】プロジェクタの通常時の出画シーケンスを示す図。
【図３】本発明におけるプロジェクタの映像受信部の内部ブロック構成を示す図。
【図４】（ａ）実施例１における伝送レート切替シーケンスを示す図。（ｂ）実施例２における伝送レート切替シーケンスを示す図。
【図５】（ａ）プロジェクタとＰＣの接続状態と映像の表示形態（ＰｂｙＰ）を示す図。（ｂ）プロジェクタとＰＣの接続状態と映像の表示形態（ＰｉｎＰ）を示す図。
【図６】ＤＰ動作モード設定ＯＳＤを示す図。
【図７】（ａ）表示形態に基づく伝送レート選択テーブルを示す図。（ｂ）ＤＰ動作モード設定に基づく伝送レート選択テーブルを示す図。
【発明を実施するための形態】
【００１３】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１４】
［実施例１］
本実施例では、ＤＰ規格に準拠するインターフェースを２ポート搭載したプロジェクタを例にとって説明する。
【００１５】
・プロジェクタの概要説明
図１は、本実施例のプロジェクタの主要な構成を示した図である。１００は、プロジェクタ本体である。１０１は、プロジェクタの各ブロックを制御するための制御部である。制御部１０１はその他各ブロックへ図１に示す通りバス１３３にて接続されており、各ブロックへの制御指示やデータのやり取り等のアクセスを行なうことが可能である。１０２は、ユーザからの操作を受け付ける操作部である。１０３は、プロジェクタの各ブロックへの電源供給を制御する電源部である。
【００１６】
１０４は、液晶部であり、１枚の液晶パネルや３枚の液晶パネル等で構成されており、この液晶パネル上に画像を形成する。ここでは液晶部は４０９６Ｐｉｘｅｌ×２１６０Ｌｉｎｅの解像度を有するものとする。１０５は、入力された画像信号に基づいて、液晶部１０４の液晶パネルに画像を形成させるための液晶駆動部である。１０６は液晶部１０４に光を供給する光源である。１０７は、光源１０６から発せられた光を液晶部１０４に供給することにより得られた光学像を投影するための投影光学系である。１０８は、光源１０６の光量等を制御するための光源制御部である。
【００１７】
また、１０９は、投影光学系１０７のズームレンズやフォーカスレンズ等の動作を制御し、ズーム倍率や焦点調整等を行う光学系制御部である。１１０、１１１は、ＰＣ（Ｐｅｒｓｏｎａｌ  Ｃｏｍｐｕｔｅｒ）等の外部装置からデジタル映像信号を受け付けるＤＰ入力部であり、例えばＰＣ等の外部装置からＤＰ規格にて規定されたプロトコルに基づく映像信号を受信することができる。映像インターフェース規格の種類によっては伝送する映像信号の伝送方式や信号線数等が定められている。
【００１８】
例えば表示画素を構成するためのデータ信号とクロック信号について分離して伝送するセパレートクロック方式、クロックをデータに埋め込むエンベデッドクロック方式等が存在する。ＤＰ規格においては後者が採用されており、８Ｂ１０Ｂエンコード方式に基づいて映像信号データ及び制御データ等がエンコードされている。表示装置は８Ｂ１０Ｂデータのビットデータ遷移を元に内部クロックを同期させ映像信号データを取り込む。
【００１９】
また、ＤＰの伝送路においてはＡＵＸ−ＣＨ（Ａｕｘｉｌｉａｒｙ−Ｃｈａｎｎｅｌ）という補助チャネルが信号ライン上にアサインされており、該補助チャネルを通じて、ＥＤＩＤや後述するＤＰＣＤ（ＤｉｓｐｌａｙＰｏｒｔ  Ｃｏｎｆｉｇｕｒａｔｉｏｎ  Ｄａｔａ）等の補助情報の授受などが行われる。また該補助チャネルにおいては、外部装置から制御信号も同時に送受信される場合があり、これにより、映像の制御等が行われることもある。
【００２０】
ＤＰ入力部１１０、１１１ではＥＤＩＤ、ＤＰＣＤ情報を内部のメモリ上に保持しており、制御部１０１の指示または外部装置からの要求に基づいて該情報の読み出し、書き換えを行うことが可能である。またＤＰ入力部１１０、１１１は後述する画像処理部１１６が受信可能な信号に変換する機能を備えており、さらに、映像信号の受信検知機能、エンコードされた映像信号をデコードする機能も備えている。プロジェクタ１００のＤＰ入力部１１０、１１１を介して接続される外部装置は基本的な動作としてＥＤＩＤ、ＤＰＣＤに含まれる、解像度や信号タイミング情報、ビット深度、伝送レート、伝送レーン数といった情報を読み出し、それらの情報に基づいて映像を出力する。
【００２１】
１１２は、外部から映像データ、画像データ、映像ファイル等の各種の情報データのファイルを受け取る、又は外部に書き出す、ＵＳＢインターフェースである。また、ポインティングデバイスや、キーボード、ＵＳＢ型のフラッシュメモリ等も接続されることもある。１１４は、イントラネット、インターネットから映像データ、画像データ、映像ファイル等の各種の情報データのファイル、その他の命令信号を送受信する通信部であり、例えば、有線ＬＡＮや無線ＬＡＮ等で構成されている。１１５は、画像データ、ユーザ設定データ等の各種の情報データのファイルを保存する内部メモリであり、半導体メモリやハードディスク等で構成される。
【００２２】
１１６は、画像処理部である。例えば、カードインタフェース１１３より入力されたドキュメントファイルは、ファイル再生部１２１により再生される。そして、ファイル再生部は、ドキュメントファイルから、ユーザに掲示するための画像信号を生成して画像処理部１１６に出力する。また、ＤＰ入力部１１０より入力された映像信号や画像信号は直接、画像処理部１１６に送信される。画像処理部１１６は、ＤＰ入力部１１０、ファイル再生部１２１により得られた画像信号に対し、制御部１０１の制御内容に基づき、液晶部１０４で表示するのに適した補正や入力映像へのＯＳＤ（Ｏｎ  Ｓｃｒｅｅｎ  Ｄｉｓｐｌａｙ）画像の重畳等を行う。
【００２３】
その他、画像信号の画素数を液晶パネルの画素数にあわせて変換し、液晶パネルの交流駆動のため、入力された映像信号のフレーム数を倍にし、液晶パネルによる画像形成に適した補正等の処理も行う。因みに、液晶パネルの交流駆動とは、液晶パネルの液晶にかける電圧の方向を交互に入れ替えて表示させる方法であり、液晶パネルは、液晶にかける電圧の方向が正方向でも逆方向でも画像を生成できる性質を利用したものである。このとき、液晶駆動部１０５は、正方向用の画像と、逆方向用の画像が１枚ずつ送る必要があるので、画像処理部１１６では、映像信号のフレームの数を倍にする処理を行う。
【００２４】
液晶駆動部１０５は、画像処理部１１６により得られた画像信号に基づいて、液晶部１０４の液晶パネルに画像を形成させる。さらに画像処理部１１６はＤＰ入力部１１０より入力された映像信号について測定や映像データの解析を行なうことも可能である。ＤＰ入力部１１０から出力される映像信号には同期信号や映像信号が含まれており、夫々のタイミングを測定し、制御部１０１が読み取り可能な内部レジスタ等に保持される。また画像処理部１１６は、スクリーンに対して斜め方向から映像を投影し投影画面が例えば台形状に歪んでしまう場合に、投影画像に対し台形状の歪みを打ち消すように画像の形状を変形させるキーストーン補正も行う。
【００２５】
キーストーン補正をする際は、液晶パネルに表示される画像の水平方向及び／又は垂直方向の拡大／縮小率を変更している。このようにして、投影画面の台形状の歪みと表示素子上での映像領域の歪みが相殺され、正常なアスペクト比の長方形の映像表示領域に近づくようにしてスクリーンに表示させるのである。このキーストーン補正は、後述する傾きセンサ１１７により得られた傾き角に基づいて、自動的に動作しても良いし、ユーザが操作部１０２等を操作することにより、動作させても良い。１１７は、プロジェクタ１００の傾きを検出する傾きセンサである。
【００２６】
１１８は、プロジェクタ１００の動作時間、各ブロックの動作時間等を検出するタイマである。１１９は、プロジェクタの光源１０６の温度、液晶部１０４の温度、外気温等を計測する温度計である。１２０は、プロジェクタ１００内の熱を外部に放出するなどして、冷却するための冷却部であり、例えば、ヒートシンクとファンにより構成されている。１２１は、制御部１０１に指示に基づきエンコードされたファイルデータ等をデコードするファイル再生部である。
【００２７】
１２２は、プロジェクタ１００付属のリモコンやその他の機器からの赤外線を受信し、制御部１０１に信号を送る赤外線受信部であり、例えば、プロジェクタの前後方向等の複数箇所に夫々設置されている。１２３は、プロジェクタ１００とスクリーンの距離を検出し、焦点距離を検出する焦点検出部である。１２４は、スクリーンの方向を撮像する撮像部である。１２５は、スクリーンにより反射される光の光量や輝度を計測するスクリーン測光部である。１２８は、プロジェクタ１００本体に配置され、プロジェクタの状態や警告等を表示する表示部である。
【００２８】
１２９は、表示部１２８を制御する表示制御部である。１３０は、プロジェクタ１００本体を持ち運んで使用するとき等に、電力を供給するバッテリである。１３１は、外部からの交流電力を受け入れ、所定の電圧に整流して電源部１０３に供給する電源入力部である。１３２は、ＲＡＭであり、内部メモリ１１５に格納されているプログラムの展開や投影画像のフレームメモリ等に使用する。
【００２９】
・プロジェクタの一般的な動作の説明
ここで、プロジェクタ１００の通常の動作について説明する。
【００３０】
本実施例のプロジェクタの制御部１０１は、操作部１０２により電源ＯＮの指示がなされたことにより、電源部１０３に各ブロックに電源を供給するように指示をだし、各ブロックを待機状態にする。そして、電源が投入された後、制御部１０１は、光源制御部１０８に光源１０６からの発光を開始するように指示をだす。次に、制御部１０１は、焦点検出部１２３により得られた焦点の情報等から、投影光学系１０７を調整するよう光学系制御部１０９に指示をだす。光学系制御部１０９は、投影光学系１０７のズームレンズやフォーカスレンズを動作させてスクリーン画面上に投影光が結像するよう制御する。
【００３１】
このようにして、投影の準備が整う。次に、例えば、ＤＰ入力部１１０に入力された映像信号は、画像処理部１１６により所定のレイアウトで合成された後、液晶部１０４に適した解像度に変換され、また、ガンマ補正や輝度ムラ対策用補正、キーストーン補正が加えられる。そして、画像処理部１１６により補正を加えられた映像信号は、液晶駆動部１０５により液晶部１０４に画像として形成される。
【００３２】
そして、液晶部１０４の液晶パネルに形成された画像は、光源１０６から発せられた光により投影光学系１０７に導かれ、投影光学系１０７は不図示のスクリーンに画像を投影する。投影中は、制御部１０１は、光源１０６等の温度を温度計１１９により検出し、例えば、光源の温度が４０度以上になったとき等に、冷却部１２０を動作させて冷却する。
【００３３】
そして、操作部１０２により電源ＯＦＦの指示がなされたことにより、制御部１０１は、各ブロックに終了処理を行うよう通信をする。そして、終了の準備が整うと、電源部１０３は各ブロックへの電源供給を順次終了する。冷却部１２０は、電源ＯＦＦされた後しばらく動作し、プロジェクタを冷却する。
【００３４】
・プロジェクタのＤＰ映像表示動作の説明
次に、プロジェクタ１００へＤＰ入力部１１０へ映像が入力された時、伝送路の状態に応じて情報を通知する動作について図２のフロー図を元に説明する。なお、本実施例におけるプロジェクタ１００はＤＰ入力部としてＤＰ入力部１１０と１１１を有しているが、動作仕様については同等であるためここではＤＰ入力部１１０を例に説明する。
【００３５】
プロジェクタ１００はＳ１０１で外部装置とＤＰケーブルが接続されたことを制御部１０１がポーリングまたは割り込みにより検知する。検出すると、Ｓ１０２にて制御部１０１はＨＰＤ（ＨｏｔＰｌｕｇ  Ｄｅｔｅｃｔ）信号を該ケーブル内の１ラインを介してアサートし外部装置へ接続されたことを通知する。ＨＰＤ信号通知を受けた外部装置はプロジェクタ１００に対し、ＤＰケーブル内のＡＵＸ−ＣＨを介してＥＤＩＤを要求してくる。Ｓ１０３にて表示装置内部のＤＰ入力部１１０が外部装置からのＥＤＩＤ要求を受けると、ＤＰ入力部１１０は内部のＥＤＩＤを読み出しＡＵＸ−ＣＨを介して通知する。
【００３６】
続いて外部装置はプロジェクタ１００からＥＤＩＤを読み出すと、ＡＵＸ−ＣＨを介してＤＰＣＤを要求する。ＤＰＣＤとは表示装置の対応出来る伝送レートや伝送レーン数、伝送信号の駆動電圧に関する調整用パラメータ等が格納されたレジスタに相当する記憶領域であり、ＤＰ入力部１１０に格納されている。ＤＰ  Ｖｅｒｓｉｏｎ１．２においては、最大４つの伝送レーンを使用することができ、１レーン、２レーン、４レーンの３通りを使い分けることが出来る。また各レーンの伝送レートは１．６２Ｇｂｐｓ、２．７Ｇｂｐｓ、５．４Ｇｂｐｓが規定されており、プロジェクタ１００は適応的に伝送レートを選択、変更することが可能である。
【００３７】
伝送信号の駆動電圧に関するパラメータとしては、Ｖｏｌｔａｇｅ−Ｓｗｉｎｇ、Ｐｒｅ−Ｅｍｐｈａｓｉｓを外部装置に対し調整を要求することが可能である。外部装置はプロジェクタ１００から読み出したＥＤＩＤ，ＤＰＣＤを前提とし、伝送する映像フォーマット（解像度やフレームレート、ビット深度等）に応じて、レーン数と伝送レートの組み合わせを使い分ける。外部装置はここで読み出したＤＰＣＤを元に後述するリンクトレーニングを開始する。Ｓ１０４にて表示装置内部のＤＰ入力部１１０が外部装置からのＤＰＣＤの取得要求を受けると、ＤＰＣＤを、ＤＰ入力部１１０は介してＡＵＸ−ＣＨより通知する。
【００３８】
ここではプロジェクタ１００の対応可能な伝送データレートや使用ライン数と、信号伝送時の駆動電圧に関する調整パラメータ等の情報が通知される。外部装置はプロジェクタ１００内部のＤＰ入力部１１０からＤＰＣＤを読み出すと、読み出した情報を元にリンクトレーニング開始要求をプロジェクタ１００へ通知する。Ｓ１０５にて外部装置の要求をきっかけにリンクトレーニングが開始され、ＤＰ入力部１１０に所定のトレーニングパターン信号が入力される。ここでＤＰ入力部１１０の内部ブロックにおけるリンクトレーニングまたは映像受信時の動作について、図３を用いて説明する。
【００３９】
図３はＤｉｓｐｌａｙＰｏｒｔにおける伝送レーンのうち１レーンの入力部を示しており、実際はこれらの構成が各レーンに備わっている。データサンプリング部１１０１は、外部装置から送出された８Ｂ１０Ｂデータ（ｒｘＤＡＴＡ）を後述するリカバリされたクロック（ｒｅｃＣＬＫ）に基づいて抽出するサンプリング部である。サンプリングしたデータ（ｂｉｔＤＡＴＡ）は後述するデシリアライズ部１１０５へ出力される。１１０２は、ＣＲ（Ｃｌｏｃｋ  Ｒｅｃｏｖｅｒｙ）部であり、位相比較器、ＶＣＯ（Ｖｏｌｔａｇｅ−Ｃｏｎｔｒｏｌｌｅｄ  Ｏｓｃｉｌｌａｔｏｒ）等で構成される所謂ＰＬＬ（Ｐｈａｓｅ  Ｌｏｃｋｅｄ  Ｌｏｏｐ）である。
【００４０】
また、可変分周器等も備えておりＶＣＯの発振周波数を逓倍することが出来る。外部装置から送出されたｒｘＤＡＴＡを元に発振するクロックを同期化（＝リカバリ）する。ここでＣＲ部１１０２にてリカバリしたクロック（ｒｅｃＣＬＫ）はデータサンプリング部１１０１及び後述するロック判定部１１０４へ供給される。１１０３は自走発振器であり、ＣＲ部１１０２内部のＰＬＬがロックしたか否かを判定するために利用されるリファレンスクロック（ｒｅｆＣＬＫ）を出力する発振器である。
【００４１】
ここで発振されるクロックはロック判定部１１０４へ供給される。１１０４は、ロック判定部であり、ＣＲ部１１０２及び自走発振器１１０３より出力されるクロックを元に前述ＣＲ部１１０２内部のＰＬＬがロックしたか否か判定する所謂カウンタ回路である。１１０５は、データサンプリング部１１０１より出力されるデータを１０ｂｉｔデータのシンボルデータにシリアル−パラレル変換を行なうデシリアライズ部である。デシリアライズされたシンボルデータ（ｓｙｍＤＡＴＡ）は後段（不図示）へ送出され、映像信号データへデコードされ画像処理部１１６へ送出される。
【００４２】
１１０６は、デシリアライズされたｓｙｍＤＡＴＡと後述するシンボルデータテーブルと１１０７を比較する比較部であり、比較した結果を後述するレジスタ１１０８へ出力する。１１０７は、８Ｂ１０Ｂエンコード方式におけるシンボルデータを格納しているテーブルであり、上述シンボルデータ比較部１１０６が比較時に参照するテーブルである。１１０８は、ロック判定部１１０４及びシンボルデータ比較部１１０６の判定、比較結果が格納されるラッチ回路である。ロック判定部１１０４はアンロックした場合、即ちｒｅｃＣＬＫ／ｒｅｆＣＬＫが所定のカウンタ値と異なった場合、レジスタ１１０８へＵＮＬＯＣＫ信号を出力する。
【００４３】
上述のＤＰ入力部１１０はリンクトレーニング時に取り決めた伝送レートを超えた映像信号を受信すると、ＣＲ部１１０２は８Ｂ１０ＢエンコードされたｒｘＤＡＴＡのエッジを元にＰＬＬが位相同期し、追従する。ＣＲ部１１０２は内部のＰＬＬがロックした後に出力されるクロック（ｒｅｃＣＬＫ）をロック判定部１１０４及びデータサンプリング部１１０１へ出力する。ロック判定部１１０４は追従したクロック（ｒｅｃＣＬＫ）と自走発振器１１０３が出力するクロック（ｒｅｆＣＬＫ）を元にロック判定し、カウンタ値がリンクトレーニング時と異なることを検知してＵＮＬＯＣＫ信号をレジスタ１１０８へ出力する。
【００４４】
また、ＣＲ部１１０２内部の各部の性能に起因して追従できない場合、ロック判定部１１０４はレジスタ１１０８へＵＮＬＯＣＬＫ信号を出力しても良い。なお、レジスタ１１０８は、ＤＰ規格において規定されたリンクトレーニング時のクロックデータリカバリ結果を保持するための不図示のレジスタであっても良いものとする。以上説明したＤＰ入力部１１０内部の構成により、入力されたデータ（ｒｘＤＡＴＡ）に対するクロックリカバリ状態、即ちロック／アンロックを判別することが可能となる。
【００４５】
リンクトレーニングにおいては、所定のテストパターンに基づき、クロックデータリカバリ、イコライゼーションのチェックが行いその結果をＤＰ入力部１１０内部のＤＰＣＤに保持する。ここでＤＰ入力部１１０がＤＰＣＤに保持する成否結果に応じた外部装置の動作について説明する。外部装置は上述ＤＰ入力部１１０のＤＰＣＤに保持された結果を所定のトレーニングを所定の時間出力した後読み出す。
【００４６】
外部装置は読み出した結果が成功である場合は、外接続時にプロジェクタ１００から読み出したＥＤＩＤ記載の映像信号フォーマットをリンクトレーニング成功時の伝送レート、レーン数、駆動電圧に関するパラメータに基づいて所定数の８Ｂ１０Ｂシンボルをアイドルパターンとして送信し、その後映像信号を送信する。失敗した場合には所定のリンクトレーニングのシーケンスに基づいてリンクトレーニングの開始をＤＰ入力部１１０に対して要求する。Ｓ１０６にてＤＰ入力部１１０はリンクトレーニングの結果を判断し、その結果に基づいた処理を行う。
【００４７】
Ｓ１０６にてＤＰ入力部１１０はリンクトレーニングに失敗したと判断した時は、Ｓ１０７へ遷移しＤＰ規格にて規定されている手順に則って伝送レートの変更や伝送信号の駆動電圧の調整を要求し、外部装置によるリンクトレーニングの開始要求に応じて再度リンクトレーニングを実施する。Ｓ１０６にてＤＰ入力部１１０が成功したと判断した時は、ＤＰ入力部１１０は外部装置より送出されるアイドルパターン及び映像信号を待ち受け、Ｓ１０８にて外部装置より送出されるアイドルパターン及び映像信号を受信する。
【００４８】
次にＳ１０９にて制御部１０１はポーリングまたは割り込みにより該映像信号をＤＰ入力部１１０が受信したことを検出し、ＤＰ入力部１１０より映像信号フォーマット情報を読み出す。具体的にはブランキング期間に挿入されるＤＰ規格で定められた映像信号の属性情報を制御部１０１が、ＤＰ入力部１１０からＲＡＭ１３２へ書き出す。書き出した後、Ｓ１１０にて制御部１０１は属性情報のうちの水平／垂直解像度等の情報に基づき画像処理部１１６へ液晶部１０４で表示するのに好適な形態に処理するよう指示を出し、スケーリング等の各種画像処理やＯＤＳメニューへの解像度情報の重畳処理を行なう。
【００４９】
これによりＤＰ入力部１１０から送出される所定のフォーマットの映像信号が画像処理部１１６及び液晶駆動部１０５を通じて液晶部１０４に画像形成され、Ｓ１１１にて光源１０６を用いて投影光学系１０７より投影される。
【００５０】
・本件の特徴的な動作の説明
次に本発明の特徴的な動作として、プロジェクタ１００が２台のＰＣからＤＰ映像信号を夫々受信し、投影画面上に各画面を同時に表示する時に適応的に伝送レート変更する処理について説明する。
【００５１】
図５（ａ）はプロジェクタ１００とＰＣ２００ａ、ＰＣ２００ｂが夫々接続されており、各ＰＣの出力画像である４００ａ、４００ｂの投影領域を示す外観図である。プロジェクタ１００とＰＣ２００ａ、ＰＣ２００ｂは夫々ＤＰケーブルを介して、プロジェクタ１００内部のＤＰ入力部１１０、ＤＰ入力部１１１と接続されている。投影領域４００ａ及び４００ｂは夫々２０４８Ｐｉｘｅｌ×２１６０Ｌｉｎｅ（２Ｋ２Ｋ）の領域であり、スクリーン３００上に投影される。２枚の出力画像を左右に並べて表示（ＰｂｙＰ）することで１枚の４Ｋ２Ｋ統合画像を形成するものである。
【００５２】
ここで図４（ａ）のフロー図を元に伝送レート制御方法について説明する。ここで前提として、プロジェクタ１００のＤＰ入力部１１０及び１１１には夫々ＤＰケーブルを介して映像が入力されている状態であり、いずれか一方のＤＰ入力部の映像を単一表示している状態であるものとする。図６（ａ）の５０１は入力選択設定のＯＳＤ（Ｏｎ  Ｓｃｒｅｅｎ  Ｄｉｓｐｌａｙ）の例を示す図である。ユーザは５０１に示すＯＳＤを介して表示形態をリモコンやプロジェクタ１００の操作部１０２を介して選択することが可能である。
【００５３】
選択項目としてはＤＰ入力部１１０に対応するＤｉｓｐｌａｙＰｏｒｔ１、ＤＰ入力部１１１に相当するＤｉｓｐｌａｙＰｏｒｔ２による単一画像の表示、またはＤＰ入力部１１０及び１１１に対応するＤｉｓｐｌａｙＰｏｒｔ１×２による統合画像の表示を選択することができる。図４（ａ）においてはＤｉｓｐｌａｙＰｏｒｔ１が選択されている状態からユーザ操作によりＤｉｓｐｌａｙＰｏｒｔ１×２への変更選択を受け付けた以降のフローについて説明する。まずＳ２０１にてＤｉｓｐｌａｙＰｏｒｔ１×２をユーザがＯＳＤを元に選択したことを、操作部１０２を介して制御部１０１が検知する。
【００５４】
次にＳ２０２にて制御部１０１は伝送に関する再設定を行うため、ＨＰＤをディアサートすることで外部装置に通知する。次にＳ２０３にて制御部１０１はユーザから受け付けた入力選択設定が単一入力による画面表示の形態であるか、複数入力による統合画面の表示形態であるか判断する。図７（ａ）における６００はユーザが選択した表示形態における設定伝送レートの関係を示したテーブルである。６０１は表示形態、６０２は伝送レートを示している。単一入力による画面表示、即ち表示形態が１画面である時は５．４Ｇｂｐｓ、統合画面による表示（ＰｂｙＰ）等の複数の入力による表示の形態である時は２．７Ｇｂｐｓを設定することを示している。
【００５５】
本実施例において、統合画面による表示を行う場合に受信する映像は１画面あたり２Ｋ２Ｋであり、２．７Ｇｂｐｓの帯域にて伝送することが可能である。その点を考慮して、統合画面による表示時は２．７Ｇｂｐｓに設定することを取り決めている。この情報はプロジェクタ１００起動時に内部メモリ１１５からＲＡＭ１３２に展開されてる情報で、制御部１０１はこの情報を読み出すことが可能である。Ｓ２０４にて単一入力による画面表示、即ち５０１のＯＳＤにおけるＤｉｓｐｌａｙＰｏｒｔ１またはＤｉｓｐｌａｙＰｏｒｔ２の何れかである場合はＳ２０５へ遷移し、制御部１０１は選択された項目に応じて、ＤＰ入力部１１０またはＤＰ入力部１１１内部のＤＰＣＤにおける伝送レートに相当する情報を５．４Ｇｂｐｓに書き換える。
【００５６】
これは単一の入力で所定のフレームレート、ビット深度における４Ｋ２Ｋの映像を受信するために必要条件となる伝送レートであるため、５．４Ｇｂｐｓに変更している。Ｓ２０３にて複数入力による画面表示、即ち５０１のＯＳＤにおけるＤｉｓｐｌａｙＰｏｒｔ１×２と判断すると、Ｓ２０４へ遷移し、制御部１０１は伝送レートを２．７Ｇｂｐｓとなるよう、ＤＰ入力部１１０及びＤＰ入力部１１１内部のＤＰＣＤにおける伝送レートに相当する情報を２．７Ｇｂｐｓに書き換える。これは前述のとおり１つのＤＰ入力部で２Ｋ２Ｋに相当する映像を受信するための必要条件を満たす伝送レートである。
【００５７】
ユーザにより選択された入力選択、表示形態に基づいて伝送レートの変更を行った後、Ｓ２０６にて制御部１０１は４Ｋ２Ｋまたは２Ｋ２Ｋの映像を受信するためＥＤＩＤを変更する。具体的には、ＥＤＩＤにて規定されている詳細タイミング情報を表明する領域（Ｄｅｔａｉｌｅｄ  Ｔｉｍｉｎｇ）を、ＤＰ入力部が受信する解像度に併せて変更する。ＤｉｓｐｌａｙＰｏｒｔ１×２の統合画像である場合は、映像受信１１０、１１１は夫々２０４８×２１６０という解像度の映像を受信するため、制御部１０１は映像受信部１１０及び１１１内部のＥＤＩＤを書き換える。
【００５８】
ここでＳ２０４にて単一入力による画面表示、即ち５０１のＯＳＤにおけるＤｉｓｐｌａｙＰｏｒｔ１またはＤｉｓｐｌａｙＰｏｒｔ２に何れかであった時は、４０９６×２１６０という解像度の映像を受信するため、制御部１０１は選択されたＤＰ入力部１１０または１１１内部のＥＤＩＤを書き換える。次にＳ２０７にて制御部１０１はＳ２０２にてディアサートしたＨＰＤについてユーザによる入力選択設定５０１の選択結果に応じてＨＰＤを再度アサートし書き換えたＥＤＩＤ及びＤＰＣＤの読み出しを外部装置に対して促す。
【００５９】
ここで、Ｓ２０８にて外部装置よりＥＤＩＤ及びＤＰＣＤの読み出し要求をＤＰ入力部１１０、１１１が受け付けると、ＤＰ入力部１１０、１１１は内部に保持しているメモリ上のＥＤＩＤ及びＤＰＣＤ情報に基づいて外部装置へ通知する。ここでは上述制御に基づいて再設定されたＤＰＣＤ及びＥＤＩＤが通知される。以降は図２のＳ１０５乃至Ｓ１１１にて説明したフローと同様、Ｓ２０９乃至Ｓ２１４にてＤＰ入力部１１０、１１１についてリンクトレーニングを実施し、外部装置より受信する映像の投影を開始する。
【００６０】
なお、本実施例では、ＤｉｓｐｌａｙＰｏｒｔ１×２をユーザが選択し、伝送レートを２．７Ｇｂｓへ下げる制御について説明したが、伝送レートが２．７Ｇｂｐｓの状態から単一表示に変更された時は、伝送レートは５．４Ｇｂｐｓに上げる制御がなされる。また、本実施例では２つのＤＰ入力部に入力される映像を統合して表示する形態を例に説明をしたがこの形態に限ることなく、例えばＰｉｎＰの表示形態に対しても適用することが可能である。図５（ｂ）はＰｉｎＰの表示形態における外観を示した図である。４００ｂが、縮小したサブ画面であり、本表示形態に変更する時、４００ｂの受信映像について伝送レートを変更しても良い。
【００６１】
以上の通り、ユーザが選択する映像の表示形態に基づいて伝送レートを適応的に変更することで、伝送速度を適切に設定することが可能となり、解像度等を落とすことなく、伝送信号の品質を向上させることが可能となる。
【００６２】
［実施例２］
実施例１では、ユーザが選択した表示の形態に基づいて伝送レートを変更するケースを説明したが、本実施例ではユーザが選択した後述するＤＰ動作モードに基づいて伝送レートを変更するケースについて説明する。なお本実施例では主に、実施例１から変形した点について説明する。
【００６３】
図６の５０２はユーザがＤＰ動作モードを選択するためのＯＳＤの例であり、映像品質優先モード及び動作品質優先モードを選択することが可能である。映像品質優先モードは伝送レートを上げ、データ量の多い高画質映像を受信するためのモードである。動作品質優先モードは伝送レートを下げ、伝送信号の品質確保または安定動作を狙った動作モードである。これらをユーザが事前に設定できるプロジェクタ１００において、該動作モードの設定状態に基づいて入力選択設定時、即ち表示形態に変更時に伝送レートを適応的に変更するケースを図４（ｂ）のフロー図を元に説明する。
【００６４】
なお、ここでは実施例１同様、ユーザがＤｉｓｐｌａｙＰｏｒｔ１×２を、ＯＳＤを元に選択する場合を例に説明する。Ｓ３０１にてＤｉｓｐｌａｙＰｏｒｔ１×２をユーザがＯＳＤを元に選択したことを、操作部１０２を介して制御部１０１が検知する。次にＳ３０２にて制御部１０１は伝送に関する再設定を行うため、ＨＰＤをディアサートすることで外部装置に通知する。次にＳ３０３にて制御部１０１はユーザにより事前に選択されているＤＰ動作モードが映像品質優先モード、安定動作優先モードのいずれであるかを判断する。
【００６５】
図７（ｂ）における７００は各ＤＰ動作モードにおけるプロジェクタの受信解像度、フレームレート、ビット深度、伝送レートを示したテーブルである。７０１はＤＰ動作―モード、７０２は解像度、７０３はフレームレート、７０４はビット深度、７０５は伝送レートを示している。映像品質優先モードの時、解像度は２０４８×２１６０、フレームレートは６０Ｈｚ、ビット深度は１２ビットであり、伝送レートは上述仕様に基づく映像を受信するために必要な５．４Ｇｂｐｓとしている。安定動作優先モードの時、解像度は２０４８×２１６０、フレームレートは６０Ｈｚ、ビット深度は８ビットであり、伝送レートは上述仕様に基づく映像を受信するために必要な２．７Ｇｂｐｓとしている。
【００６６】
前者は映像品質を高めるためビット深度を１２ビットとしており、後者は動作品質を高めるため伝送レートを下げるためビット深度を８ビットとしている。本実施例においてはビット深度に差を持たせているが、これに限ることなく伝送レートに収まる範囲内でパラメータに差を持たせても良い。例えば伝送レートに係るパラメータとして、フレームレートやＹ色差信号におけるサブサンプリング方式等があるが、これらのパラメータに差を持たせても良い。ここで示したテーブル７００の情報はプロジェクタ１００起動時に内部メモリ１１５からＲＡＭ１３２に展開されている情報で、制御部１０１はこの情報を読み出すことが可能である。
【００６７】
Ｓ３０３にて映像品質優先モードが設定されていると制御部１０１が判断するとＳ３０５へ遷移し、制御部１０１は伝送レートを５．４Ｇｂｐｓとなるよう、映像受信部１１０、１１１内部のＤＰＣＤにおける伝送レートに相当する情報を書き換える。Ｓ３０３にて安定動作優先モードが設定されていると制御部１０１が判断すると、Ｓ３０４へ遷移し、制御部１０１は伝送レートを２．７Ｇｂｐｓとなるよう、映像受信部１１０、１１１内部のＤＰＣＤにおける伝送レートに相当する情報を書き換える。
【００６８】
次にＳ３０６にて各ＤＰ動作モードに対応づけられた解像度、フレームレート、ビット深度について図７（ｂ）の７０１乃至７０４の情報に基づいて制御部１０１は映像受信部１１０、１１１内のメモリ上に格納されているＥＤＩＤを書き換える。次にＳ３０７にて制御部１０１はＳ３０２にてディアサートしたＨＰＤについて再度アサートし書き換えたＥＤＩＤ及びＤＰＣＤの読み出しを外部装置に対して促す。Ｓ３０８にて外部装置よりＥＤＩＤ及びＤＰＣＤの読み出し要求を映像受信部１１０、１１１が受け付けると、内部に保持しているメモリ上のＥＤＩＤ及びＤＰＣＤ情報に基づいて外部装置へ通知され、上述制御に基づいて再設定されたＤＰＣＤ及びＥＤＩＤが通知される。
【００６９】
以降は図２のＳ１０５乃至Ｓ１１１にて説明したフローと同様、Ｓ３０９乃至Ｓ３１４にてＤＰ入力部１１０、１１１についてリンクトレーニングを実施し、外部装置より受信する映像の投影を開始する。なお本実施例では、ＤＰ動作モードに対し解像度、フレームレート、ビット深度を定義しているが、これに限ることなく、解像度、フレームレート、ビット深度からＥＤＩＤにて要求する映像に必要な伝送レートを算出し、その結果に応じて伝送レートを変更する方法でも良い。
【００７０】
以上の通り、ユーザが選択するＤＰ動作モードに基づいて伝送レートを適応的に変更することで、ユーザの狙いを考慮した上で伝送速度を適切に設定することが可能となり、解像度等を落とすことなく、伝送信号の品質を向上させることが可能となる。
【００７１】
以上、本発明の好ましい実施形態について説明したが、本発明はこれらの実施形態に限定されず、その要旨の範囲内で種々の変形及び変更が可能である。
【符号の説明】
【００７２】
１００  プロジェクタ
１０１  制御部
１０２  操作部
１０３  電源部
１０４  液晶部
１０５  液晶駆動部
１０６  光源
１０７  投影光学系
１０８  光源制御部
１０９  光学系制御部
１１０  ＤＰ入力部
１１１  ＥＤＩＤ記憶部
１１２  ＵＳＢＩ／Ｆ
１１３  カードＩ／Ｆ
１１４  通信部
１１５  内部メモリ
１１６  画像処理部
１１７  傾きセンサ
１１８  タイマ
１１９  温度計
１２０  冷却部
１２１  ファイル再生部
１２２  赤外線受信部
１２３  焦点検出部
１２４  撮像部
１２５  スクリーン測光部
１２８  表示部
１２９  表示制御部
１３０  バッテリ
１３１  電源入力部
１３２  ＲＡＭ
１３３  バス
１１０１  データサンプリング部
１１０２  ＣＲ部
１１０３  自走発振器
１１０４  ロック判定部
１１０５  デシリアライズ部
１１０６  シンボルデータ比較部
１１０７  シンボルデータテーブル
１１０８  レジスタ
２００ａ  ＰＣ
２００ｂ  ＰＣ
３００    スクリーン
４００ａ  ＰＣ２００ａの出力画像
４００ｂ  ＰＣ２００ｂの出力画像
５０１    入力選択設定ＯＳＤ
５０２    ＤＰ動作モード設定ＯＳＤ
６００    伝送レート選択テーブル
６０１    表示形態
６０２    伝送レート
７００    伝送レート選択テーブル
７０１    ＤＰ動作モード
７０２    解像度
７０３    フレームレート
７０４    ビット深度
７０５    伝送レート
【図１】
2019132872.tif 000003
【図２】
2019132872.tif 000004
【図３】
2019132872.tif 000005
【図４】
2019132872.tif 000006
【図５】
2019132872.tif 000007
【図６】
2019132872.tif 000008
【図７】
2019132872.tif 000009